(57)【要約】【課題】  特許マップのデータとしての精度を向上すること。【解決手段】  技術データを入力し得る入力装置４１と、特許情報パラメータごとに重み付けされた点数データが記憶されている記憶装置４４と、特許情報パラメータごとの順位付けを出願人について行い、その順位に対応する点数を前記点数データに従って特許１件ごとに付与し、前記それぞれの出願人に対して前記点数順に特許一覧表を作成し、前記点数が上位である特許をコア技術に含まれる特許として自動的に抽出するデータ処理装置４２と、データ処理装置４２で作成された集計・分析結果を表示する表示装置４３を有する。【選択図】  図１
2006209174.tif 000002
【特許請求の範囲】
【請求項１】
技術データを入力し得る入力手段と、
多数の特許技術情報が格納されているデータベースと、
特許分析パラメータごとに重み付けされた点数データが記憶されている点数データ記憶手段と、
前記データベースに格納された特許技術情報から分析に必要な特許技術情報群を抽出すると共に、該抽出された特許技術情報群に基づいて各種集計及び分析を行うデータ処理手段と、
該データ処理手段で作成された集計・分析結果を表示する表示手段とを備え、
前記データ処理手段は、抽出された特許技術情報群を出願人ごとに分類し、分類された特許技術情報について前記特許分析パラメータごとに出願件数の順位付けを行い、その順位に対応する点数を前記点数データに従って特許１件ごとに付与し、前記それぞれの出願人に対して前記点数順に特許一覧表を作成し、前記点数が上位である特許をコア技術に含まれる特許として自動的に抽出することを特徴とする特許分析システム。
【請求項２】
前記表示手段は、前記コア技術に含まれる特許を視覚的に認識できるように表示することを特徴とする請求項１記載の特許分析システム。
【請求項３】
前記特許分析パラメータは、特許分類記号、当該特許分類記号に対応した技術分類名称および説明、技術キーワードであることを特徴とする請求項１又は２記載の特許分析システム。
【請求項４】
技術データを入力し得る入力手段と、
データベースに格納された特許分析パラメータごとに重み付けされた点数データが記憶されている点数データ記憶手段と、
抽出された特許技術情報群を出願人ごとに分類し、分類された特許技術情報について前記特許分析パラメータごとに出願件数の順位付けを行い、その順位に対応する点数を前記点数データに従って特許１件ごとに付与し、前記それぞれの出願人に対して前記点数順に特許一覧表を作成し、前記点数が上位である特許をコア技術に含まれる特許として自動的に抽出するデータ処理手段と、
該データ処理手段で抽出された特許を特許マップ表示する表示手段
を有することを特徴とする特許分析装置。
【請求項５】
技術データを入力するステップと、
データベースから特許技術情報を抽出するステップと、
特許分析パラメータごとに重み付けされた点数データを記憶するステップと、
抽出された特許技術情報群を出願人ごとに分類するステップと、
当該分類された特許技術情報について前記特許分析パラメータごとに出願件数の順位付けを行うステップと、
その順位に対応する点数を前記点数データに従って特許１件ごとに付与するステップと、
前記それぞれの出願人に対して前記点数順に特許一覧表を作成するステップと、
前記点数が上位である特許をコア技術に含まれる特許として抽出するステップと、
前記抽出されたコア技術に含まれる特許を特許マップとして表示するステップ
を有することを特徴とする特許分析方法。
【請求項６】
前記特許分析パラメータは、特許分類記号、特許分類記号に対応した技術分類名称および説明、技術キーワードであることを特徴とする請求項５記載の特許分析方法。
【請求項７】
コンピュータに、
技術データを入力するステップと、
データベースから特許技術情報を抽出するステップと、
特許分析パラメータごとに重み付けされた点数データを記憶するステップと、
抽出された特許技術情報群を出願人ごとに分類するステップと、
当該分類された特許技術情報について前記特許分析パラメータごとに出願件数の順位付けを行うステップと、
その順位に対応する点数を前記点数データに従って特許１件ごとに付与するステップと、
前記それぞれの出願人に対して前記点数順に特許一覧表を作成するステップと、
前記点数が上位である特許をコア技術に含まれる特許として抽出するステップと、
前記抽出されたコア技術に含まれる特許を特許マップとして表示するステップ
を実行させることを特徴とするプログラム。
【請求項８】
請求項７に記載のプログラムを記録したことを特徴とするコンピュータ読取可能な情報記録媒体（コンパクトディスク、フレキシブルディスク、ハードディスク、光磁気ディスク、ディジタルビデオディスク、磁気テープ、または、半導体メモリを含む。）。
【発明の詳細な説明】
【技術分野】
【０００１】
本発明は、特許情報を分析し、特許マップを作成する機能を有する特許分析システム、装置、方法、プログラム、及び情報記録媒体に関する。
【背景技術】
【０００２】
従来の特許分析プログラムおよび装置の一例が、以下に示す特許文献１、特許文献２、特許文献３に記載されている。この従来のプログラムおよび装置は特許情報を分析し、特許マップを作成する機能をもつ。以下、特許文献１、特許文献２、特許文献３に記載された従来技術についてそれぞれ説明する。
【０００３】
特許文献１に記載された従来技術では、画面上部に設定された分析条件によって得られたパテントマップが表示される。マップ内の各セルには、条件に該当する特許の件数が円形の数量表現図形により示され、時系列的な分析の結果による増減傾向が矢印図形により示されている。データベースには、各特許の属性情報、全文テキスト、日付情報が保持されており、指定された分析条件によってクロス分析の結果抽出された特許について、その日付情報を用いた時系列分析により、パテントマップが生成される。
【０００４】
特許文献２に記載された従来技術では、ＣＤ−ＲＯＭの特許公報から必要な特許情報が絞り込まれ、特許データベース収録部に蓄積される。このとき特許分類定義部では、ＩＰＣ分類を独自の分類コードに変換して付与する。入力部からパテントマップのフォーマットを決めるパラメータを入力する。パテントマップ生成部は、特許データベースを参照し、指定されたフォーマットに従ってパテントマップを編集して、ディスプレイに表示する。
【０００５】
特許文献３に記載された従来技術では、各種条件を入力し得る入力手段と、所定の記憶媒体を備え該記憶媒体に多数の技術情報が記憶されている技術情報記憶手段と、前記技術情報記憶手段の技術情報から対象技術情報群を抽出すると共に、該抽出した対象技術情報群に基づいて各種集計及び分析を行う制御手段と、該制御手段で作成された集計・分析結果を出力する出力手段とを備える。前記制御手段は、予め入力手段で入力された各種条件に基づいて、複数の集計・分析結果を自動的に作成すると共に該集計・分析結果を前記出力手段を介して所定の出力形態で出力し得る。前記出力形態は、複数の集計・分析結果を予め設定された所定時間毎に略連続的に出力する形態を含んでいる。
【０００６】
【特許文献１】特開平６−２３１１４１号公報
【特許文献２】特開２００１−９２８２５号公報
【特許文献３】特開２００２−２７９０５８号公報
【発明の開示】
【発明が解決しようとする課題】
【０００７】
ここで、特許マップが、重要な特許にのみ重み付けがなされて作成されていればより分析データとしての信頼性が高まる。しかしながら、従来では重要な特許と認定するための基準が特許件数で行われていたので、実際には重要でない特許も含まれることとなり、分析データとしての信頼性が乏しいところがあった。
【０００８】
ところで、近年自社の得意とする特定のコアとなる技術領域を設定し、その技術領域に投資を集中し技術優位を継続的に確保すると同時に、その技術領域をベースとした新たな商品を次々と生み出す戦略、すなわち「コア技術戦略」の重要性が増してきており、まさにコア技術がコア技術戦略の鍵となっている。
【０００９】
ここでコア技術とは、その企業にとって中心となる技術であり、将来に亘って持続的に競争優位を築くための核となるような一連の技術あるいは技術領域をいう。例えば企業のコア技術を液晶技術に設定した場合を例にとって説明する。当初は電卓戦争の切り札として開発した液晶をコア技術として幅広く製品に利用し、将来液晶テレビやビデオカメラといったＡＶ機器、ＦＡＸ・携帯情報端末・ノートパソコン等の情報通信機器、エアコン・電子レンジ・冷蔵庫等の家庭用電気製品など幅広い商品に当該コア技術である液晶技術を利用し、収益を生み出すというものである。
【００１０】
本発明の目的は、各出願人のコア技術に関する特許を抽出することにより、重要な特許にのみ重み付けを行い、特許マップのデータとしての精度を向上することができる特許分析システム、装置、方法、プログラム、記録媒体を提供することである。
【課題を解決するための手段】
【００１１】
上記課題を解決するために、本件発明は、以下の特徴を有する課題を解決するための手段を採用している。
【００１２】
本請求項１に係る特許分析システムは、
技術データを入力し得る入力手段と、
多数の特許技術情報が格納されているデータベースと、
特許分析パラメータごとに重み付けされた点数データが記憶されている点数データ記憶手段と、
前記データベースに格納された特許技術情報から分析に必要な特許技術情報群を抽出すると共に、該抽出された特許技術情報群に基づいて各種集計及び分析を行うデータ処理手段と、
該データ処理手段で作成された集計・分析結果を表示する表示手段とを備え、
前記データ処理手段は、抽出された特許技術情報群を出願人ごとに分類し、分類された特許技術情報について前記特許分析パラメータごとに出願件数の順位付けを行い、その順位に対応する点数を前記点数データに従って特許１件ごとに付与し、前記それぞれの出願人に対して前記点数順に特許一覧表を作成し、前記点数が上位である特許をコア技術に含まれる特許として自動的に抽出することを特徴とする。
【００１３】
本請求項２に係る特許分析システムは、前記表示手段が前記コア技術に含まれる特許を視覚的に認識できるように表示することを特徴とする。
【００１４】
本請求項３に係る特許分析システムは、前記特許分析パラメータが、特許分類記号、当該特許分類記号に対応した技術分類名称および説明、技術キーワードである
本請求項４に係る特許分析装置は、
技術データを入力し得る入力手段と、
データベースに格納された特許分析パラメータごとに重み付けされた点数データが記憶されている点数データ記憶手段と、
抽出された特許技術情報群を出願人ごとに分類し、分類された特許技術情報について前記特許分析パラメータごとに出願件数の順位付けを行い、その順位に対応する点数を前記点数データに従って特許１件ごとに付与し、前記それぞれの出願人に対して前記点数順に特許一覧表を作成し、前記点数が上位である特許をコア技術に含まれる特許として自動的に抽出するデータ処理手段と、
該データ処理手段で抽出された特許を特許マップ表示する表示手段
を有することを特徴とする。
【００１５】
本請求項５に係る特許分析方法は、
技術データを入力するステップと、
データベースから特許技術情報を抽出するステップと、
特許分析パラメータごとに重み付けされた点数データを記憶するステップと、
抽出された特許技術情報群を出願人ごとに分類するステップと、
当該分類された特許技術情報について前記特許分析パラメータごとに出願件数の順位付けを行うステップと、
その順位に対応する点数を前記点数データに従って特許１件ごとに付与するステップと、
前記それぞれの出願人に対して前記点数順に特許一覧表を作成するステップと、
前記点数が上位である特許をコア技術に含まれる特許として抽出するステップと、
前記抽出されたコア技術に含まれる特許を特許マップとして表示するステップ
を有することを特徴とする
本請求項６に係る特許分析方法は、前記特許分析パラメータが、特許分類記号、特許分類記号に対応した技術分類名称および説明、技術キーワードであることを特徴とする。
【００１６】
本請求項７に係るプログラムは、
コンピュータに、
技術データを入力するステップと、
データベースから特許技術情報を抽出するステップと、
特許分析パラメータごとに重み付けされた点数データを記憶するステップと、
抽出された特許技術情報群を出願人ごとに分類するステップと、
当該分類された特許技術情報について前記特許分析パラメータごとに出願件数の順位付けを行うステップと、
その順位に対応する点数を前記点数データに従って特許１件ごとに付与するステップと、
前記それぞれの出願人に対して前記点数順に特許一覧表を作成するステップと、
前記点数が上位である特許をコア技術に含まれる特許として抽出するステップと、
前記抽出されたコア技術に含まれる特許を特許マップとして表示するステップ
を実行させることを特徴とする。
【００１７】
本請求項８に係る発明は、前記プログラムを記録したことを特徴とするコンピュータ読取可能な情報記録媒体（コンパクトディスク、フレキシブルディスク、ハードディスク、光磁気ディスク、ディジタルビデオディスク、磁気テープ、または、半導体メモリを含む。）である。
【発明の効果】
【００１８】
本発明によれば、コア技術に含まれる特許が抽出でき、それゆえ出願人がどの領域に注力しているかより正確に判別することができるため特許分析の精度が上昇するという効果がある。
【００１９】
また、本発明によれば、ＩＰＣ・ＦＩ・Ｆタームなどの特許分類記号から自動的に技術分類名称を取得することができるため、特許分析作業の効率化が図れる。
【発明を実施するための最良の形態】
【００２０】
以下、図面を参照して本発明の実施の形態について説明する。
【００２１】
図１を参照すると、本実施例は、特許分析装置１０と特許データベース２０から構成されている。特許分析装置４０は分析者によって使用され、少なくとも、入力装置４１、データ処理装置４２、表示装置４３、記憶装置４４を構成要素に持つパーソナルコンピュータやその他の情報処理装置である。
【００２２】
特許データベース２０は書誌情報および明細書内容などの特許情報が格納されている。また、特許データベース２０は特許検索システムなどによって絞り込まれたデータなども格納している。さらに、特許データベース２０はＩＰＣ・ＦＩ・Ｆタームなどの特許分類記号に対応した技術分類名称および説明のデータを格納している。
【００２３】
入力装置４１からの入力情報に従って、データ処理装置４２は特許データをうけとり、特許データを分析処理し、コア技術に含まれる特許を抽出する機能をもつ。記憶装置４４は各パラメータごとの点数データを格納している。
【００２４】
さらに、特許分析装置４０と特許データベース２０はＬＡＮなどのネットワーク３０を介して相互に接続されている。
【００２５】
次に、図１及び図２のフローチャートを参照して本発明に係る特許分析システムの動作について説明する。
【００２６】
特許分析者は入力装置４１から操作して、特許データベース２０にアクセスし、分析に必要な特許データを抽出する。（図２のステップＡ１）。特許データベース装置は抽出された分析用の特許データを特許分析装置４０に送信する(図２のステップＡ２）。
【００２７】
抽出された特許データは表示装置４３の画面に表示される(図２のステップＡ３）。キーボードやマウスなどの入力装置４１から操作して、コア特許抽出の特許分析を開始する(図２のステップＡ４）。特許分析の開始が始まると、特許分析装置４０で出願人もしくは出願人グループごとに特許データを分類する(図２のステップＡ５）。次に、データ処理装置４２で発明者、ＩＰＣ・ＦＩ・Ｆタームなどの特許分類記号、キーワードなどの各パラメータごとの順位表をそれぞれの出願人について作成し、その順位に従って特許１件ごとに点数をつけていく。なお、この点数は記憶装置４４に格納されている点数表に従うが、点数表はユーザによって任意に設定することができる。これにより、各出願人に対して、パラメータごとに特許に点数が付与されている点数表ができる(図２のステップＡ６）。次に、各出願人に対して作成した点数表をひとまとめにして、点数順に特許一覧表を作成し、上位１／８の特許をコア技術に含まれる特許として抽出する。また、コア技術に含まれる特許として抽出する上位１／８のという基準値は、任意に設定することができる(図２のステップＡ７）。
【００２８】
次に表示装置４３にコア技術に含まれる特許が視覚的にわかるように特許マップを表示する(図２のステップＡ８、図３参照）。ここで、図３には表示装置４３に表示された特許マップが示されているが、図の縦軸は出願人別の表示がなされ、横軸はパラメータで、図３の例でいえば特許分類記号（分類コード）である。他のパラメータで表示することもデータ処理装置の制御によりできる。図３において、各分類コードに対応した出願人ごとの円グラフが表示されているが、円グラフの中は濃淡で色分けされている。濃い色と淡い色の割合は、コア技術の特許数とそうでない特許数の割合である。また円グラフの面積の大きさは横軸の特定の特許分類に対する各社合計特許件数の内各社（出願人）それぞれの占める特許出願件数を示している。面積の大きい円を表示する会社はその分類コードに対応する特許出願件数が面積の小さい円を表示する会社よりも多いことを意味している。
【００２９】
以下、図３を参照して上記分析手順をより具体的に説明する。まず、Ａ社からＦ社までの特許データを特許データベース２０から抽出し、出願人ごとに特許を分類する。分析すべき特許出願データが抽出された後Ａ社〜Ｆ社それぞれのコア技術特許の特定を行うために、まずパラメータを設定する。ここでは例えば特許分類コード，発明者，キーワードの３つに設定したとする。発明者のパラメータの場合、例えばＡ社に発明者５０人在籍したとして各発明者の出願件数に対応する点数が各発明者ごとに算出される。ここでは出願した件数の一番多い発明者を甲とする。
【００３０】
当該抽出された特許出願の中で最も使用頻度が高いキーワードを探す。すなわち、あるキーワードを含む出願件数が一番多いそのキーワードが第１位となる。
【００３１】
さらに、抽出された特許出願の中で最も使用頻度が高い特許分類コードを探す。すなわち、ある特許分類コードを含む出願の件数が一番多いその特許分類コードが第１位となる。
【００３２】
出願された件数を点数に換算し、出願人ごとに前記各パラメータごとに点数が算出される。上述したようにこの点数換算はあらかじめ定められた点数表に従って行う。この点数表も任意に設定変更可能である。
【００３３】
上記３つのパラメータごとの点数が算出され、その点数に基づいて発明者パラメータの第一位である発明者が行った出願の件数、パラメータである特定の特許分類コードに関する出願の件数、特定のキーワードを含む出願の件数が算出される。最終的にこれらパラメータを論理和処理で絞込みをかけ真のコア特許といえる特許（出願を含む）を探し出すことが可能となる。
【００３４】
図３では横軸に特許分類コードをとった例を示しているが例えば特許分類記号（１）について分析すると、Ａ社、Ｂ社，Ｄ社は他社に比較して相対的に出願件数が多く、コア特許の出願比率が最も多いのはＢ社であることがわかる。Ａ社についてのみ分析すると特許分類記号（１），（７），（８）についての技術がコア特許であると推測できる。
【００３５】
尚、コア技術の特許を特定するために各パラメータごとの点数の総得点上位に位置する特許抽出する際、上位を決定するコア技術抽出基準値は任意に設定可能である。例えば１／８とある場合は、そのパラメータに関する総出願件数の上位１／８を抽出するということである。例えば、パラメータを発明者として発明者４８人いた場合、出願した件数の上位６名がコア特許に関連する発明ということである。上位３／８に設定すれば出願した件数の上位１８名がコア特許に関連する発明ということである。
【００３６】
利用者は種々のパラメータを組み合わせて、独自の組み合わせパラメータを構築できる。しかし、コア技術抽出基準値を例えば１／８に設定したとしても、任意のパラメータにおける出願件数が０件のときもありこの場合には点数を算出でない。従って、例えば発明者でもコンスタントに出願している実績のある場合にはパラメータが発明者の場合、そのような発明者にも点数を付与するなどパラメータの補正をすれば、より細かい分析結果を得ることができる。
【００３７】
次にフローチャートのステップＡ８〜Ａ９の説明に戻る。表示装置４３に特許マップが表示された後、入力装置４１から操作して表示されている特許分類コードをクリックすると(図２のステップＡ９）、特許データベース装置から分類コードに対応する技術分類名称および説明などが送信され(図２のステップＡ１０）、表示装置１３に表示される(図２のステップＡ１１）。
【００３８】
また、上記した各実施の形態は、本発明を好適に実施した形態の一例に過ぎず、本発明は、その主旨を逸脱しない限り、種々変形して実施することが可能なものである。
【図面の簡単な説明】
【００３９】
【図１】本発明に係る特許分析システムの一実施の形態を示した図である。
【図２】本発明に係る特許分析システムの動作を説明するためのフローチャートである。
【図３】本システムの分析に基づいて作成された特許マップを示した図である。
【符号の説明】
【００４０】
２０    特許データベース
３０    ネットワーク
４０    特許分析装置
４１    入力装置
４２    データ処理装置
４３    表示装置
４４    記憶装置
【図１】
2006209174.tif 000003
【図２】
2006209174.tif 000004
【図３】
2006209174.tif 000005